(57)【要約】      （修正有）【課題】段階分けに組み立てることができ、嵌合して固定されることにより、モジュール構造全体がより安定するレンズモジュールを提供する。【解決手段】レンズモジュール１００は、レンズチューブ１と、レンズチューブ１に収容され且つ少なくとも１つのレンズを含む第１のレンズセット２と、レンズチューブ１における像側に近い端部に設けられるスペーサ３と、スペーサ３に収容され且つ少なくとも１つのレンズを含む第２のレンズセット４と、レンズチューブ１及び/又はスペーサ３に設けられる遮光片５と、第２のレンズセット４を固定するストッパー６とを含む。【選択図】図１
2018097344.tif 000002
【特許請求の範囲】
【請求項１】
レンズチューブと、前記レンズチューブに収容され且つ少なくとも１つのレンズを含む第１のレンズセットと、前記レンズチューブにおける像側に近い端部に設けられるスペーサと、前記スペーサに収容され且つ少なくとも１つのレンズを含む第２のレンズセットと、を備え、前記レンズチューブは、光通過孔を形成する第１の筒壁及び前記第１の筒壁から屈曲して延伸する第２の筒壁を含み、前記レンズチューブは、第１の内壁及び前記第１の内壁に対応する第１の外壁を含み、前記スペーサは、第２の内壁及び前記第２の内壁に対応する第２の外壁を含むレンズモジュールであって、前記レンズチューブと前記スペーサとは、嵌合して固定されることを特徴とするレンズモジュール。
【請求項２】
前記レンズチューブと前記スペーサとは、螺合部により固定されることを特徴とする請求項１に記載のレンズモジュール。
【請求項３】
前記螺合部は、前記レンズチューブの第１の内壁に設けられている第１のねじと、前記スペーサの第２の外壁に設けられている第２のねじとを含むことを特徴とする請求項２に記載のレンズモジュール。
【請求項４】
前記スペーサは、本体部と、前記本体部から光軸方向へ延伸して形成する延伸部とを含み、前記延伸部は、物側に近い第１の表面と、物側から離れる第２の表面とを含み、前記第２のねじは、前記延伸部に設けられていることを特徴とする請求項３に記載のレンズモジュール。
【請求項５】
前記延伸部の第１の表面は、前記第１のレンズセットの下端と当接することを特徴とする請求項４に記載のレンズモジュール。
【請求項６】
前記延伸部は、第１の表面から像側へ凹んで凹溝を形成し、前記第１のレンズセットは、前記凹溝の上方に設置され、前記延伸部と間隔を置いて設けられることを特徴とする請求項４に記載のレンズモジュール。
【請求項７】
前記第１のレンズセットの下端における前記レンズチューブに近い位置には、凹み部が設けられており、前記凹み部と前記レンズチューブの第１の内壁とは、接着剤を収容する接着剤収容溝を形成することを特徴とする請求項５又は６に記載のレンズモジュール。
【請求項８】
前記延伸部は、環状構造であることを特徴とする請求項４に記載のレンズモジュール。
【請求項９】
前記レンズチューブの第２の筒壁の第１の外壁と前記スペーサの本体部の第２の外壁とは位置を合わせることを特徴とする請求項４に記載のレンズモジュール。
【請求項１０】
前記スペーサの本体部と延伸部とは、前記第２のレンズセットを収容する収容空間を取り囲んで形成し、前記延伸部の第２の表面は、前記第２のレンズセットの上端と当接することを特徴とする請求項４に記載のレンズモジュール。
【請求項１１】
前記レンズチューブは、その下端から物側へ凹んで収容溝を形成し、前記第１のねじ部は、前記収容溝に設けられていることを特徴とする請求項３に記載のレンズモジュール。
【請求項１２】
前記螺合部は、前記レンズチューブの第１の外壁に設けられる第１のねじと、前記スペーサの第２の内壁に設けられる第２のねじとを含むことを特徴とする請求項２に記載のレンズモジュール。
【請求項１３】
前記スペーサは、本体部と、前記本体部から光軸方向へ延伸して形成する延伸部と、前記延伸部から物側へ延伸して形成する突出部とを含み、前記延伸部は、物側に近い第１の表面と、物側から離れる第２の表面とを含み、前記第２のねじは、前記突出部に設けられていることを特徴とする請求項１２に記載のレンズモジュール。
【請求項１４】
前記延伸部の第１の表面は、前記第１のレンズセットの下端と当接することを特徴とする請求項１３に記載のレンズモジュール。
【請求項１５】
前記第１のレンズセットは、前記第１の表面の上方に設置され、前記延伸部の第１の表面と間隔を置いて設けられることを特徴とする請求項１３に記載のレンズモジュール。
【請求項１６】
前記第１のレンズセットの下端における前記レンズチューブに近い位置には、凹み部が設けられており、前記凹み部と前記レンズチューブの第１の内壁とは、接着剤を収容する接着剤収容溝を形成することを特徴とする請求項１４又は１５に記載のレンズモジュール。
【請求項１７】
前記延伸部は、環状構造であることを特徴とする請求項１３に記載のレンズモジュール。
【請求項１８】
前記スペーサの本体部と延伸部とは、前記第２のレンズセットを収容する収容空間を取り囲んで形成し、前記延伸部の第２の表面は、前記第２のレンズセットの上端と当接することを特徴とする請求項１３に記載のレンズモジュール。
【請求項１９】
前記レンズチューブは、その下端から物側へ凹んで収容溝を形成し、前記第１のねじ部は、前記収容溝に設けられていることを特徴とする請求項１２に記載のレンズモジュール。
【請求項２０】
前記レンズチューブと前記スペーサとは、係止部により固定されることを特徴とする請求項１に記載のレンズモジュール。
【請求項２１】
前記係止部は、前記レンズチューブの第１の内壁に設けられる第１の係止部と、前記スペーサの第２の外壁に設けられる第２の係止部とを含むことを特徴とする請求項２０に記載のレンズモジュール。
【請求項２２】
前記スペーサは、本体部と、前記本体部から光軸方向へ延伸して形成する延伸部と、前記延伸部から物側へ延伸して形成する突出部とを含み、前記第２の係止部は、前記突出部に設けられていることを特徴とする請求項２１に記載のレンズモジュール。
【請求項２３】
前記突出部の上端は、前記第１のレンズセットの下端と当接することを特徴とする請求項２２に記載のレンズモジュール。
【請求項２４】
前記第１のレンズセットは、前記スペーサと間隔を置いて設けられることを特徴とする請求項２２に記載のレンズモジュール。
【請求項２５】
前記第１のレンズセットの下端における前記レンズチューブに近い位置には、凹み部が設けられており、前記凹み部と前記レンズチューブの第１の内壁とは、接着剤を収容する接着剤収容溝を形成することを特徴とする請求項２３又は２４に記載のレンズモジュール。
【請求項２６】
前記第１の係止部は、光軸へ突出して形成する構造であり、前記第２の係止部は、光軸へ凹んで形成する構造であることを特徴とする請求項２２に記載のレンズモジュール。
【請求項２７】
前記第１の係止部は、光軸から離れる方向へ凹んで形成する構造であり、前記第２の係止部は、光軸から離れる方向へ突出して形成する構造であることを特徴とする請求項２２に記載のレンズモジュール。
【請求項２８】
第１の係止部と第２の係止部との表面は、何れも弧形状であることを特徴とする請求項２６又は２７に記載のレンズモジュール。
【請求項２９】
前記レンズチューブの第２の筒壁の第１の外壁と前記スペーサの本体部の第２の外壁とは位置を合わせることを特徴とする請求項２２に記載のレンズモジュール。
【請求項３０】
前記レンズチューブは、その下端から物側へ凹んで収容溝を形成し、前記第１の係止部は、前記収容溝に設けられていることを特徴とする請求項２１に記載のレンズモジュール。
【請求項３１】
前記係止部は、前記レンズチューブの第１の外壁に設けられている第１の係止部と、前記スペーサの第２の内壁に設けられている第２の係止部とを含むことを特徴とする請求項２０に記載のレンズモジュール。
【請求項３２】
前記スペーサは、本体部と、前記本体部から光軸へ延伸して形成する延伸部と、前記本体部から物側へ延伸して形成する突出部とを含み、前記延伸部は、物側に近い第１の表面と、物側から離れる第２の表面とを含み、前記第２の係止部は、前記突出部に設けられていることを特徴とする請求項３１に記載のレンズモジュール。
【請求項３３】
前記延伸部の第１の表面は、前記第１のレンズセットの下端と当接することを特徴とする請求項３２に記載のレンズモジュール。
【請求項３４】
前記延伸部の第１の表面は、前記第１のレンズセットと間隔を置いて設けられることを特徴とする請求項３２に記載のレンズモジュール。
【請求項３５】
前記第１のレンズセットの下端における前記レンズチューブに近い位置には、凹み部が設けられており、前記凹み部と前記レンズチューブの第１の内壁とは、接着剤を収容する接着剤収容溝を形成することを特徴とする請求項３３又は３４に記載のレンズモジュール。
【請求項３６】
前記第１の係止部は、光軸から離れる方向へ突出して形成する構造であり、前記第２の係止部は、光軸から離れる方向へ凹んで形成する構造であることを特徴とする請求項３２に記載のレンズモジュール。
【請求項３７】
前記第１の係止部は、光軸へ凹んで形成する構造であり、前記第２の係止部は、光軸へ突出して形成する構造であることを特徴とする請求項３２に記載のレンズモジュール。
【請求項３８】
第１の係止部と第２の係止部との表面は、何れも弧形状であることを特徴とする請求項３６又は３７に記載のレンズモジュール。
【請求項３９】
前記レンズチューブは、その下端から物側へ凹んで収容溝を形成し、前記第１の係止部は、前記収容溝に設けられていることを特徴とする請求項３１に記載のレンズモジュール。
【請求項４０】
前記レンズモジュールは、さらに、前記第２のレンズセットにおける像側に近い端部に設けられるストッパーを含むことを特徴とする請求項１、３、１２、２１及び３１のいずれか１項に記載のレンズモジュール。
【発明の詳細な説明】
【技術分野】
【０００１】
本願はレンズモジュールに関し、特に、段階分け型レンズモジュール構造に関する。
【背景技術】
【０００２】
科学技術の発展に伴って、電子設備は、絶えずにインテリジェント方向へ発展している。デジタルカメラの以外、デジタルカメラの以外、タブレットＰＣ、携帯電話などの携帯型の電子設備にもレンズモジュールが配置されている。
【発明の概要】
【発明が解決しようとする課題】
【０００３】
従来技術のレンズモジュールは、レンズチューブと、前記レンズチューブに設けられるレンズセットと、隣接する２つのレンズの間に挟まれる遮光片又は遮光板と、下層レンズと前記レンズチューブとの間に設けられるストッパーと、を含む。関連技術において、レンズチューブは、射出成形により構成する完全な構造であり、それぞれのレンズは、レンズチューブの下部から装着され、レンズチューブに固定され、組立形態は比較的に単一である。
【０００４】
そのため、上記の課題を解決するために、新規なレンズモジュールを提供する必要がある。
【課題を解決するための手段】
【０００５】
本発明は、レンズモジュールを提供している。
【０００６】
レンズチューブと、前記レンズチューブに収容され且つ少なくとも１つのレンズを含む第１のレンズセットと、前記レンズチューブにおける像側に近い端部に設けられるスペーサと、前記スペーサに収容され且つ少なくとも１つのレンズを含む第２のレンズセットと、を備え、前記レンズチューブは、光通過孔を形成する第１の筒壁及び前記第１の筒壁から屈曲して延伸する第２の筒壁を含み、前記レンズチューブは、第１の内壁及び前記第１の内壁に対応する第１の外壁を含み、前記スペーサは、第２の内壁及び前記第２の内壁に対応する第２の外壁を含むレンズモジュールであって、前記レンズチューブと前記スペーサとは、嵌合して固定されることを特徴とする。
【０００７】
前記レンズチューブと前記スペーサとは、螺合部により固定される又は係止部により固定される。
【０００８】
第１の技術案
前記レンズチューブと前記スペーサとは、螺合部により固定されており、前記螺合部は、前記レンズチューブの第１の内壁に設けられている第１のねじと、前記スペーサの第２の外壁に設けられている第２のねじとを含む。
【０００９】
第１技術案において、  
好ましくは、前記スペーサは、本体部と、前記本体部から光軸方向へ延伸して形成する延伸部とを含み、前記延伸部は、物側に近い第１の表面と、物側から離れる第２の表面とを含み、前記第２のねじは、前記延伸部に設けられている。
好ましくは、前記延伸部の第１の表面は、前記第１のレンズセットの下端と当接する。
好ましくは、前記延伸部は、第１の表面から像側へ凹んで凹溝を形成し、前記第１のレンズセットは、前記凹溝の上方に設置され、前記延伸部と間隔を置いて設けられる。
好ましくは、前記第１のレンズセットの下端における前記レンズチューブに近い位置には、凹み部が設けられており、前記凹み部と前記レンズチューブの第１の内壁とは、接着剤を収容する接着剤収容溝を形成する。
好ましくは、前記延伸部は、環状構造である。
好ましくは、前記レンズチューブの第２の筒壁の第１の外壁と前記スペーサの本体部の第２の外壁とは位置を合わせる。
好ましくは、前記スペーサの本体部と延伸部とは、前記第２のレンズセットを収容する収容空間を取り囲んで形成し、前記延伸部の第２の表面は、前記第２のレンズセットの上端と当接する。
好ましくは、前記レンズチューブは、その下端から物側へ凹んで収容溝を形成し、前記第１のねじ部は、前記収容溝に設けられている。
好ましくは、前記レンズモジュールは、さらに、前記第２のレンズセットにおける像側に近い端部に設けられるストッパーを含む。
【００１０】
第２の技術案
前記レンズチューブと前記スペーサとは、螺合部により固定されており、前記螺合部は、前記レンズチューブの第１の外壁に設けられる第１のねじと、前記スペーサの第２の内壁に設けられる第２のねじとを含む。
【００１１】
第２の技術案において、
好ましくは、前記スペーサは、本体部と、前記本体部から光軸方向へ延伸して形成する延伸部と、前記延伸部から物側へ延伸して形成する突出部とを含み、前記延伸部は、物側に近い第１の表面と、物側から離れる第２の表面とを含み、前記第２のねじは、前記突出部に設けられている。
好ましくは、前記延伸部の第１の表面は、前記第１のレンズセットの下端と当接する。
好ましくは、前記第１のレンズセットは、前記第１の表面の上方に設置され、前記延伸部の第１の表面と間隔を置いて設けられる。
好ましくは、前記第１のレンズセットの下端における前記レンズチューブに近い位置には、凹み部が設けられており、前記凹み部と前記レンズチューブの第１の内壁とは、接着剤を収容する接着剤収容溝を形成する。
好ましくは、前記延伸部は、環状構造である。
好ましくは、前記スペーサの本体部と延伸部とは、前記第２のレンズセットを収容する収容空間を取り囲んで形成し、前記延伸部の第２の表面は、前記第２のレンズセットの上端と当接する。
好ましくは、前記レンズチューブは、その下端から物側へ凹んで収容溝を形成し、前記第１のねじ部は、前記収容溝に設けられている。
好ましくは、前記レンズモジュールは、さらに、前記第２のレンズセットにおける像側に近い端部に設けられるストッパーを含む。
【００１２】
第３の技術案
前記レンズチューブと前記スペーサとは、係止部により固定され、前記係止部は、前記レンズチューブの第１の内壁に設けられる第１の係止部と、前記スペーサの第２の外壁に設けられる第２の係止部とを含む。
【００１３】
第３の技術案において、
好ましくは、前記スペーサは、本体部と、前記本体部から光軸方向へ延伸して形成する延伸部と、前記延伸部から物側へ延伸して形成する突出部とを含み、前記第２の係止部は、前記突出部に設けられている。
好ましくは、前記突出部の上端は、前記第１のレンズセットの下端と当接する。
好ましくは、前記第１のレンズセットは、前記スペーサと間隔を置いて設けられる。
好ましくは、前記第１のレンズセットの下端における前記レンズチューブに近い位置には、凹み部が設けられており、前記凹み部と前記レンズチューブの第１の内壁とは、接着剤を収容する接着剤収容溝を形成する。
好ましくは、前記第１の係止部は、光軸方向へ突出して形成する構造であり、前記第２の係止部は、光軸方向へ凹んで形成する構造である。
好ましくは、前記第１の係止部は、光軸から離れる方向へ凹んで形成する構造であり、前記第２の係止部は、光軸から離れる方向へ突出して形成する構造である。
好ましくは、第１の係止部と第２の係止部との表面は、何れも弧形状である。
好ましくは、前記レンズチューブの第２の筒壁の第１の外壁と前記スペーサの本体部の第２の外壁とは位置を合わせる。
好ましくは、前記レンズチューブは、その下端から物側へ凹んで収容溝を形成し、前記第１の係止部は、前記収容溝に設けられている。
【００１４】
第４の技術案
前記レンズチューブと前記スペーサとは、係止部により固定され、前記係止部は、前記レンズチューブの第１の外壁に設けられている第１の係止部と、前記スペーサの第２の内壁に設けられている第２の係止部とを含む。
【００１５】
第４の技術案において、
好ましくは、前記スペーサは、本体部と、前記本体部から光軸方向へ延伸して形成する延伸部と、前記本体部から物側へ延伸して形成する突出部とを含み、前記延伸部は、物側に近い第１の表面と、物側から離れる第２の表面とを含み、前記第２の係止部は、前記突出部に設けられている。
好ましくは、前記延伸部の第１の表面は、前記第１のレンズセットの下端と当接する。
好ましくは、前記延伸部の第１の表面は、前記第１のレンズセットと間隔を置いて設けられる。
好ましくは、前記第１のレンズセットの下端における前記レンズチューブに近い位置には、凹み部が設けられており、前記凹み部と前記レンズチューブの第１の内壁とは、接着剤を収容する接着剤収容溝を形成する。
好ましくは、前記第１の係止部は、光軸から離れる方向へ突出して形成する構造であり、前記第２の係止部は、光軸から離れる方向へ凹んで形成する構造である。
好ましくは、前記第１の係止部は、光軸方向へ凹んで形成する構造であり、前記第２の係止部は、光軸方向へ突出して形成する構造である。
好ましくは、第１の係止部と第２の係止部との表面は、何れも弧形状である。
好ましくは、前記レンズチューブは、その下端から物側へ凹んで収容溝を形成し、前記第１の係止部は、前記収容溝に設けられている。
好ましくは、前記レンズモジュールは、さらに、前記第２のレンズセットにおける像側に近い端部に設けられるストッパーを含む。
【発明の効果】
【００１６】
本発明のレンズモジュールは、関連技術のレンズモジュールに比べて、以下のメリットを有する。
前記レンズチューブと前記スペーサとは、螺合構造又は係合構造により固定され、組み立てやすく自由であり、レンズを誤って組立ても即時に直すこともでき、構造が簡単であり、モジュール構成全体がより安定する。
【図面の簡単な説明】
【００１７】
【図１】本発明の第１の実施例におけるレンズモジュールの構成を模式的に示す図である。
【図２】本発明の第１の実施例におけるレンズモジュールのレンズチューブ及びスペーサを模式的に示す図である。
【図３】本発明の第１の実施例におけるレンズモジュールの部品の一部を模式的に示す図である。
【図４】本発明の第１の実施例の別の実施形態におけるレンズモジュールの構成を模式的に示す図である。
【図５】本発明の第２の実施例におけるレンズモジュールの構成を模式的に示す図である。
【図６】本発明の第２の実施例におけるレンズモジュールのレンズチューブ及びスペーサを模式的に示す図である。
【図７】本発明の第２の実施例におけるレンズモジュールの部品の一部を模式的に示す図である。
【図８】本発明の第２の実施例の別の実施形態におけるレンズモジュールの構成を模式的に示す図である。
【図９】本発明の第３の実施例におけるレンズモジュールの構成を模式的に示す図である。
【図１０】本発明の第３の実施例におけるレンズモジュールのレンズチューブ及びスペーサを模式的に示す図である。
【図１１】本発明の第３の実施例におけるレンズモジュールの部品の一部を模式的に示す図である。
【図１２】本発明の第３の実施例の別の実施形態におけるレンズモジュールの構成を模式的に示す図である。
【図１３】本発明の第４の実施例におけるレンズモジュールの構成を模式的に示す図である。
【図１４】本発明の第４の実施例におけるレンズモジュールのレンズチューブ及びスペーサを模式的に示す図である。
【図１５】本発明の第４の実施例におけるレンズモジュールの部品の一部を模式的に示す図である。
【図１６】本発明の第４の実施例の別の実施形態におけるレンズモジュールの構成を模式的に示す図である。
【発明を実施するための形態】
【００１８】
以下、図面及び実施形態を参照しながら、本発明をさらに説明する。
【００１９】
第１の実施例
図１に示すように、前記レンズモジュール１００は、レンズチューブ１と、前記レンズチューブ１に収容され且つ少なくとも１つのレンズを含む第１のレンズセット２と、前記レンズチューブ１における像側に近い端部に設けられるスペーサ３と、前記スペーサ３に収容され且つ少なくとも１つのレンズを含む第２のレンズセット４と、前記レンズチューブ１及び/又は前記スペーサ３に設けられる遮光片５と、前記第２のレンズセット４を固定するストッパー６と、を含む。
【００２０】
図２及び図３に示すように、前記レンズチューブ１は、水平方向に沿って延伸して光通過孔を形成する第１の筒壁１１と、前記第１の筒壁１１から屈曲して延伸する第２の筒壁１２と、前記第１の筒壁１１と前記第２の筒壁１２とが取り囲んで形成する収容空間１３とを含み、前記第１のレンズセット２は、前記収容空間１３に収容され、前記レンズチューブ１は、さらに、第１の内壁１４と、前記第１の内壁１４に対応する第１の外壁１５とを含む。前記レンズチューブ１は、その下端から物側へ凹んで収容溝１６を形成する。
【００２１】
前記第１のレンズセット１２は、像側から物側まで、順次に積層して設置される第１のレンズ２１と、第１のレンズ２１と同軸設置される第２のレンズ２２と、第３のレンズ２３と、第４のレンズ２４と、第５のレンズ２５とを含み、本実施例では、第１のレンズセット２は、５つのレンズを含むが、必要に応じて、１つのレンズのみ又は他の数量のレンズが設けられても良い。前記第１のレンズセット２において、それぞれの隣接するレンズの間には、いずれも遮光片５が設けられるが、必要に応じて、対応するレンズの間には遮光部材又は遮光板が設けられても良い。前記第１のレンズ２１の像側面における前記レンズチューブ１に近い位置には、凹み部２１１が設けられ、前記凹み部２１１と前記レンズチューブ１の第１の内壁１４とは、接着剤を収容する接着剤収容溝２１２を形成する。
【００２２】
図１乃至図３に示すように、前記スペーサ３は、第２の内壁３１及び前記第２の内壁３１に対応する第２の外壁３２を含み、前記スペーサ３は、本体部３３及び前記本体部３３から光軸方向へ延伸して形成する延伸部３４を含み、前記本体部３３と延伸部３４とが取り囲んで前記第２のレンズセット４を収容する収容空間３５を形成し、前記レンズチューブ１の第２の筒壁１２の第１の外壁１５と前記スペーサ３の本体部３３の第２の外壁３２とが位置を合わせる 。前記延伸部３４は、物側に近接する第１の表面３４１及び物側から離れる第２の表面３４２を含み、前記延伸部３４は、環状構造であり、前記延伸部３４の第１の表面３４１は、前記第１のレンズセット２の下端と当接し、即ち、前記第１のレンズ２１の像側面と当接する。
【００２３】
前記第２のレンズセット４は、第６レンズ４１を含み、本実施例における第２のレンズセット４は、１つのレンズのみを含むが、必要に応じてそのほかの数量のレンズのみを設置することもできる。前記第２のレンズセット４において、いずれかのレンズの物側又は像側に遮光部材又は遮光板を設置することもできる。前記延伸部３４の第２の表面３４２は、前記第２のレンズセット４の上端と当接し、即ち、前記第６レンズ４１の物側面と当接する。
【００２４】
前記レンズチューブ１と前記スペーサ３とは、螺合部７により固定され、前記螺合部７が前記レンズチューブ１の第１の内壁１４に設けられる第１のねじ７１及び前記スペーサ３の第２の外壁３２に設けられる第２のねじ７２を含み、前記第２のねじ７２が前記スペーサ３の延伸部３４に設けられ、前記第１のねじ７１が前記収容溝１６に設けられている。
【００２５】
図４に示すように、第１の実施例の別の実施形態において、前記延伸部３４’は、その第１の表面３４１’から像側方向へ凹んで凹溝３４３’を形成し、前記第１のレンズセット２’が前記凹溝３４３’の上方にあり、且つ前記延伸部３４’と間隔を置いて設けられ、このように、螺合構造７’を締め付けることにより第１のレンズ２１’と第６レンズ４１’との間の空気隙間を調節することができる。
【００２６】
前記レンズモジュール１００を組み立てる時に、まず、レンズチューブ１、第１のレンズセット２及び遮光片５を提供し、第１のレンズセット２を前記レンズチューブ１の像側端部からレンズチューブ１の収容空間１３に順次に装入し、その途中において、隣接するレンズの間に遮光片５を挿通することができ、必要に応じて、いずれかの数量の遮光片５及び/又は遮光板を添加することができ、その後に、第１のレンズ２１の像側端の接着剤収容溝２１２に接着剤を塗布して第１のレンズセット２を固定する。スペーサ３、第２のレンズセット４及びストッパー６を提供し、前記第２のレンズセット４におけるレンズを順次に前記スペーサ３の収容空間３５に装入し、いずれかの隣接する２つのレンズの間には、必要に応じていずれかの数量の遮光片及び／又は遮光板を添加することができ、前記第６レンズ４１の物側面と延伸部３４の第２の表面３４２とは貼りあわせて、前記第１のレンズセット２、第２のレンズセット４におけるそれぞれのレンズの辺縁が前記レンズチューブ１の第２の筒壁１２の第１の内壁１４又はスペーサ３の本体部３３の第２の内壁３１とは締まり嵌めすることができ、ストレスフリーで配合することもでき、締まり嵌めすることが好ましい。このように、前記レンズセットの同軸度を確保することができ、それにより、前記レンズセットが前記レンズチューブ１、スペーサ３に正確に押し込むことができ、且つ一定の固定作用を発揮する。ストッパー６を提供し、第６レンズ４１の像側面に設けられ、接着剤塗布プロセスを採用して固定し、最後に、レンズチューブ１とスペーサ３とを螺合部７により締め付けて固定される。このように、前記レンズモジュール１全体の組立てが完了する。
【００２７】
関連技術のレンズモジュールに比べて、本第１の実施例に係るレンズモジュールは、以下のメリットを有する。
【００２８】
第１の実施例は、段階分けに組み立てることができ、前記レンズチューブと前記スペーサとは、螺合構造により固定され、組み立てやすく、自由であり、レンズを組立て間違っても直すこともでき、構造が簡単であり、且つ螺合により、モジュール構成全体をより安定にする。
【００２９】
第２の実施例
図５に示すように、前記レンズモジュール１００は、レンズチューブ１と、前記レンズチューブ１に収容され、少なくとも１つのレンズを含む第１のレンズセット２と、前記レンズチューブ１の像側に近い端部に設けられるスペーサ３と、前記スペーサ３に収容され、少なくとも１つのレンズを含む第２のレンズセット４と、前記レンズチューブ１及び／又は前記スペーサ３に設けられる遮光片５と、前記第２のレンズセット４を固定するストッパー６とを含む。
【００３０】
図６及び図７に示すように、前記レンズチューブ１は、水平方向に沿って延伸して光通過孔を形成する第１の筒壁１１と、前記第１の筒壁１１から屈曲して延伸する第２の筒壁１２と、前記第１の筒壁１１と前記第２の筒壁１２とが取り囲んで形成する収容空間１３とを含み、前記第１のレンズセット２は、前記収容空間１３に収容され、前記レンズチューブ１は、さらに、第１の内壁１４及び前記第１の内壁１４に対応する第１の外壁１５を含む。前記レンズチューブ１は、その下端から物側へ凹んで収容溝１６を形成する。
【００３１】
前記第１のレンズセット１２は、像側から物側まで、順次に積層して設けられる第１のレンズ２１と、第１のレンズ２１と同軸設置される第２のレンズ２２と、第３のレンズ２３と、第４のレンズ２４と、第５のレンズ２５とを含み、第２の実施例における第１のレンズセット２は、５つのレンズを含むが、必要に応じて、１つのレンズのみ又はそのほかの数量のレンズを設置することがもできる。前記第１のレンズセット２におけるそれぞれの隣接するレンズの間には、いずれも遮光片５を設置したが、必要に応じて、対応するレンズの間に遮光部材又は遮光板を設置することができる。前記第１のレンズ２１の像側面の前記レンズチューブ１に近い位置には、凹み部２１１が設けられ、前記凹み部２１１と前記レンズチューブ１の第１の内壁１４とは接着剤を収容する接着剤収容溝２１２を形成する。
【００３２】
図５乃至図７に示すように、前記スペーサ３は、第２の内壁３１及び前記第２の内壁３１に対応する第２の外壁３２を含み、前記スペーサ３は、本体部３３、前記本体部３３から光軸方向へ延伸して形成する延伸部３４、及び前記延伸部から物側へ延伸して形成する突出部３５を含み、前記本体部３３と延伸部３４とは、取り囲んで前記第２のレンズセット４を収容する収容空間３６を形成する。前記延伸部３４は、物側に近接する第１の表面３４１及び物側から離れる第２の表面３４２を含み、前記延伸部３４は、環状構造であり、前記延伸部３４の第１の表面３４１は、前記第１のレンズセット２の下端と当接し、即ち、前記第１のレンズ２１の像側面と当接する。
【００３３】
前記第２のレンズセット４は、第６レンズ４１を含み、本実施例における第２のレンズセット４は、１つのレンズのみを含むが、必要に応じてそのほかの数量のレンズのみを設置することもできる。前記第２のレンズセット４において、いずれかのレンズの物側又は像側に遮光部材又は遮光板を設置することもできる。前記延伸部３４の第２の表面３４２は、前記第２のレンズセット４の上端と当接し、即ち、前記第６レンズ４１の物側面と当接する。
【００３４】
前記レンズチューブ１と前記スペーサ３とは、螺合部７により固定され、前記螺合部７が前記レンズチューブ１の第１の外壁１５に設けられる第１のねじ７１及び前記スペーサ３の第２の内壁３１に設けられる第２のねじ７２を含み、前記第２のねじ７２が前記スペーサ３の突出部３５に設けられ、前記第１のねじ７１が前記収容溝１６に設けられている。
【００３５】
図８に示すように、第２の実施例の別の実施形態において、前記第１のレンズセット２’は、前記第１の表面３４１’の上方にあり、且つ前記延伸部３４’と間隔を置いて設けられ、このように設置すると、螺合構造７’ を締め付けることにより第１のレンズ２１’と第６レンズ４１’との間の空気隙間を調節することができる。
【００３６】
前記レンズモジュール１００を組み立てる時に、まず、レンズチューブ１、第１のレンズセット２及び遮光片５を提供し、第１のレンズセット２を前記レンズチューブ１の像側端部からレンズチューブ１の収容空間１３に順次に装入し、その途中において、隣接するレンズの間に遮光片５を挿通することができ、必要に応じて、いずれかの数量の遮光片５及び/又は遮光板を添加することができ、その後に、第１のレンズ２１の像側端の接着剤収容溝２１２に接着剤を塗布して第１のレンズセット２を固定する。スペーサ３、第２のレンズセット４及びストッパー６を提供し、前記第２のレンズセット４におけるレンズを順次に前記スペーサ３の収容空間３６に装入し、いずれかの隣接する２つのレンズの間には、必要に応じていずれかの数量の遮光片及び／又は遮光板を添加することができ、前記第６レンズ４１の物側面と延伸部３４の第２の表面３４２とは貼りあわせて、前記第１のレンズセット２、第２のレンズセット４におけるそれぞれのレンズの辺縁が前記レンズチューブ１の第２の筒壁１２の第１の内壁１４又はスペーサ３の本体部３３の第２の内壁３１とは締まり嵌めすることができ、ストレスフリーで配合することができ、締まり嵌めすることが好ましい。このように、前記レンズセットの同軸度を確保することができ、前記レンズセットが前記レンズチューブ１、スペーサ３に正確に押し込むことができ、且つ一定の固定作用を発揮する。ストッパー６を提供し、第６レンズ４１の像側面に設けられ、接着剤塗布プロセスを採用して固定し、最後に、レンズチューブ１とスペーサ３とを螺合部７により締め付けて固定される。これまで、前記レンズモジュール１全体の組立てが完了する。
【００３７】
関連技術のレンズモジュールに比べて、第２の実施例に係るレンズモジュールは、以下のメリットを有する。
【００３８】
第２の実施例は、段階分けに組み立てることができ、前記レンズチューブと前記スペーサとは、螺合構造により固定され、組み立てやすく、自由であり、レンズを組立て間違っても直すこともでき、構造が簡単であり、且つ螺合により、モジュール構成全体をより安定にする。
【００３９】
実施例３
図９に示すように、前記レンズモジュール１００は、レンズチューブ１と、前記レンズチューブ１に収容され、少なくとも１つのレンズを含む第１のレンズセット２と、前記レンズチューブ１の像側に近い端部に設けられるスペーサ３と、前記スペーサ３に収容され、少なくとも１つのレンズを含む第２のレンズセット４と、前記レンズチューブ１及び／又は前記スペーサ３に設けられる遮光片５と、前記第２のレンズセット４を固定するストッパー６とを含む。
【００４０】
図１０及び図１１に示すように、前記レンズチューブ１は、水平方向に沿って延伸して光通過孔を形成する第１の筒壁１１と、前記第１の筒壁１１から屈曲して延伸する第２の筒壁１２と、前記第１の筒壁１１と前記第２の筒壁１２とが取り囲んで形成する収容空間１３とを含み、前記第１のレンズセット２は、前記収容空間１３に収容され、前記レンズチューブ１は、さらに、第１の内壁１４及び前記第１の内壁１４に対応する第１の外壁１５を含む。前記レンズチューブ１は、その下端から物側へ凹んで収容溝１６を形成する。
【００４１】
前記第１のレンズセット１２は、像側から物側まで、順次に積層して設けられる第１のレンズ２１と、第１のレンズ２１と同軸設置される第２のレンズ２２と、第３のレンズ２３と、第４のレンズ２４と、第５のレンズ２５とを含み、第３の実施例における第１のレンズセット２は、５つのレンズを含むが、必要に応じて、１つのレンズのみ又はそのほかの数量のレンズを設置することがもきできる。前記第１のレンズセット２におけるそれぞれの隣接するレンズの間には、いずれも遮光片５を設置したが、必要に応じて、対応するレンズの間に遮光部材又は遮光板を設置することもできる。前記第１のレンズ２１の像側面の前記レンズチューブ１に近い位置には、凹み部２１１が設けられ、前記凹み部２１１と前記レンズチューブ１の第１の内壁１４とは接着剤を収容する接着剤収容溝２１２を形成する。
【００４２】
図９乃至図１１に示すように、前記スペーサ３は、第２の内壁３１及び前記第２の内壁３１に対応する第２の外壁３２を含み、前記スペーサ３は、本体部３３、前記本体部３３から光軸方向へ延伸して形成する延伸部３４、及び前記延伸部から物側へ延伸して形成する突出部３５を含み、前記本体部３３と延伸部３４とは、取り囲んで前記第２のレンズセット４を収容する収容空間３６を形成し、前記レンズチューブ１の第２の筒壁１２の第１の外壁１５と前記スペーサ３の本体部３３の第２の外壁３２とは位置を合わせる。前記突出部３５は、物側に近い第１の表面３５１を含み、前記延伸部３４は、物側に近い第２の表面３４１を含み、前記延伸部３４は、環状構造であり、前記突出部３５の第１の表面３５１は前記第１のレンズセット２の下端と当接し、即ち、前記第１のレンズ２１の像側面と当接する。
【００４３】
前記第２のレンズセット４は、第６レンズ４１を含み、本実施例における第２のレンズセット４は、１つのレンズのみを含むが、必要に応じてそのほかの数量のレンズのみを設置することができる。前記第２のレンズセット４において、いずれかのレンズの物側又は像側に遮光部材又は遮光板を設置することもできる。前記延伸部３４の第２の表面３４１は前記第２のレンズセット４の上端と当接し、即ち、前記第６レンズ４１の物側面と当接する。
【００４４】
前記レンズチューブ１と前記スペーサ３とは、係止部７により固定され、前記係止部７が前記レンズチューブ１の第１の内壁１４に設けられる第１の係止部７１及び前記スペーサ３の第２の外壁３２に設けられる第２の係止部７２を含み、前記第２の係止部７２が前記スペーサ３の突出部３５に設けられ、前記第１の係止部７１が前記収容溝１６に設けられる。前記突出部３５の第１の表面３５１は、前記第１のレンズセット２の下端と当接する。前記第１の係止部７１は、光軸方向へ突出して形成する構造であり、前記第２の係止部７２は、光軸方向へ凹んで形成する構造である。第１の係止部７１、第２の係止部７２の表面は、いずれも弧形状であり、係止しやすい。
【００４５】
図１２に示すように、第３の実施例の別の実施形態において、前記第１の係止部７１’は、光軸方向の逆方向へ凹んで形成する構造であり、前記第２の係止部７２’は、光軸から離れる方向へ突出して形成する構造であり、 第１の係止部７１’、第２の係止部７２’の表面は、共に弧形状であり、係止しやすい。前記スペーサ３’の上端は前記第１のレンズセット２’と間隔を置いて設けられ、即ち、前記スペーサ３’の上端は前記第１のレンズ２１’と間隔を置いて設けられる。
【００４６】
前記レンズモジュール１００を組み立てる時に、まず、レンズチューブ１、第１のレンズセット２及び遮光片５を提供し、第１のレンズセット２を前記レンズチューブ１の像側端部からレンズチューブ１の収容空間１３内に順次に装入し、その途中において、隣接するレンズの間に遮光片５を挿通することができ、必要に応じて、いずれかの数量の遮光片５及び/又は遮光板を添加することができ、その後に、第１のレンズ２１の像側端の接着剤収容溝２１２に接着剤を塗布して第１のレンズセット２を固定する。スペーサ３、第２のレンズセット４及びストッパー６を提供し、前記第２のレンズセット４におけるレンズを順次に前記スペーサ３の収容空間３６に装入し、いずれかの隣接する２つのレンズの間には、必要に応じていずれかの数量の遮光片及び／又は遮光板を添加することができ、前記第６レンズ４１の物側面と延伸部３４の第２の表面３４２とは貼りあわせて、前記第１のレンズセット２、第２のレンズセット４におけるそれぞれのレンズの辺縁が前記レンズチューブ１の第２の筒壁１２の第１の内壁１４又はスペーサ３の本体部３３の第２の内壁３１とは締まり嵌めすることができ、ストレスフリーで配合することもでき、締まり嵌めすることが好ましい。このように、前記レンズセットの同軸度を確保することができ、前記レンズセットが前記レンズチューブ１、スペーサ３に正確に押し込むことができ、且つ一定の固定作用を発揮する。ストッパー６を提供し、第６レンズ４１の像側面に設けられ、接着剤塗布プロセスを採用して固定し、最後に、レンズチューブ１とスペーサ３とを係止部７により係止して固定される。これまで、前記レンズモジュール１全体の組立てが完成する。
【００４７】
関連技術のレンズモジュールに比べて、第３の実施例に係るレンズモジュールは、以下のメリットを有する。
【００４８】
第３の実施例は、段階分けに組み立てることができ、前記レンズチューブと前記スペーサとは、係合構造により固定され、組み立てやすく、自由であり、レンズを組立て間違っても直すこともでき、構造が簡単であり、モジュール構成全体をより安定にする。
【００４９】
実施例４
図１３に示すように、前記レンズモジュール１００は、レンズチューブ１と、前記レンズチューブ１に収容され、少なくとも１つのレンズを含む第１のレンズセット２と、前記レンズチューブ１の像側に近い端部に設けられるスペーサ３と、前記スペーサ３に収容され、少なくとも１つのレンズを含む第２のレンズセット４と、前記レンズチューブ１及び／又は前記スペーサ３に設けられる遮光片５と、前記第２のレンズセット４を固定するストッパー６とを含む。
【００５０】
図１４及び図１５に示すように、前記レンズチューブ１は、水平方向に沿って延伸して光通過孔を形成する第１の筒壁１１と、前記第１の筒壁１１から屈曲して延伸する第２の筒壁１２と、前記第１の筒壁１１と前記第２の筒壁１２とが取り囲んで形成する収容空間１３とを含み、前記第１のレンズセット２は、前記収容空間１３に収容され、前記レンズチューブ１は、さらに、第１の内壁１４及び前記第１の内壁１４に対応する第１の外壁１５を含む。前記レンズチューブ１は、その下端から物側へ凹んで収容溝１６を形成する。
【００５１】
前記第１のレンズセット１２は、像側から物側まで、順次に積層して設けられる第１のレンズ２１と、第１のレンズ２１と同軸設置される第２のレンズ２２と、第３のレンズ２３と、第４のレンズ２４と、第５のレンズ２５とを含み、第４の実施例における第１のレンズセット２は、５つのレンズを含むが、必要に応じて、１つのレンズのみ又はそのほかの数量のレンズを設置することがもできる。前記第１のレンズセット２におけるそれぞれの隣接するレンズの間には、いずれも遮光片５を設置したが、必要に応じて、対応するレンズの間に遮光部材又は遮光板を設置することができる。前記第１のレンズ２１の像側面の前記レンズチューブ１に近い位置には、凹み部２１１が設けられ、前記凹み部２１１と前記レンズチューブ１の第１の内壁１４とは接着剤を収容する接着剤収容溝２１２を形成する。
【００５２】
図１３乃至図１５に示すように、前記スペーサ３は、第２の内壁３１及び前記第２の内壁３１に対応する第２の外壁３２を含み、前記スペーサ３は、本体部３３、前記本体部３３から光軸方向へ延伸して形成する延伸部３４、及び前記本体部３３から物側へ延伸して形成する突出部３５を含み、前記本体部３３と延伸部３４とは前記第２のレンズセット４を収容する収容空間３６を囲む。前記延伸部３４は、物側に近接する第１の表面３４１及び物側から離れる第２の表面３４２を含み、前記延伸部３４は、環状構造であり、前記延伸部３５の第１の表面３４１は、前記第１のレンズセット２の下端と当接し、即ち、前記第１のレンズ２１の像側面と当接する。
【００５３】
前記第２のレンズセット４は、第６レンズ４１を含み、第４の実施例における第２のレンズセット４は、１つのレンズのみを含むが、必要に応じてそのほかの数量のレンズのみを設置することができる。前記第２のレンズセット４において、いずれかのレンズの物側又は像側に遮光部材又は遮光板を設置することもできる。前記延伸部３４の第２の表面３４２は、前記第２のレンズセット４の上端と当接し、即ち、前記第６レンズ４１の物側面と当接する。
【００５４】
前記レンズチューブ１と前記スペーサ３とは、係止部７により固定され、前記係止部７が前記レンズチューブ１の第１の外壁１５に設けられる第１の係止部７１及び前記スペーサ３の第２の内壁３１に設けられる第２の係止部７２を含み、前記第２の係止部７２が前記スペーサ３の突出部３５に設けられ、前記第１の係止部７１が前記収容溝１６に設けられている。前記延伸部３４の第１の表面３４１は、前記第１のレンズセット２の下端と当接する。前記第１の係止部７１は、光軸方向の逆方向へ突出して形成する構造であり、前記第２の係止部７２は、光軸方向の逆方向へ凹んで形成する構造である。第１の係止部７１、第２の係止部７２の表面は、いずれも弧形状であり、係止しやすい。
【００５５】
図１６に示すように、該第４の実施例の別の実施形態において、前記第１の係止部７１’は、光軸方向へ凹んで形成する構造であり、前記第２の係止部７２’は、光軸方向へ突出して形成する構造であり、第１の係止部７１’、第２の係止部７２’の表面は、共に弧形状であり、係止しやすい。前記スペーサ３’の延伸部３４’の第１の表面３４１’と前記第１のレンズセット２’とは、間隔を隔て設置され、即ち、前記延伸部３４’の第１の表面３４１’と前記第１のレンズ２１’とは、間隔を置いて設けられる。
【００５６】
前記第１の係止部と前記第２の係止部の形状は、任意に交換することもできる、と注意すべきである。
【００５７】
前記レンズモジュール１００を組み立てる時に、まず、レンズチューブ１、第１のレンズセット２及び遮光片５を提供し、第１のレンズセット２を前記レンズチューブ１の像側端部からレンズチューブ１の収容空間１３内に順次に装入し、その途中において、隣接するレンズの間に遮光片５を挿通することができ、必要に応じて、いずれかの数量の遮光片５及び/又は遮光板を添加することができ、その後に、第１のレンズ２１の像側端の接着剤収容溝２１２に接着剤を塗布して第１のレンズセット２を固定する。スペーサ３、第２のレンズセット４及びストッパー６を提供し、前記第２のレンズセット４におけるレンズを順次に前記スペーサ３の収容空間３６に装入し、いずれかの隣接する２つのレンズの間には、必要に応じていずれかの数量の遮光片及び／又は遮光板を添加することができ、前記第６レンズ４１の物側面と延伸部３４の第２の表面３４２とは貼りあわせて、前記第１のレンズセット２、第２のレンズセット４におけるそれぞれのレンズの縁が前記レンズチューブ１の第２の筒壁１２の第１の内壁１４又はスペーサ３の本体部３３の第２の内壁３１とは締まり嵌めすることができ、ストレスフリーで配合することができ、締まり嵌めすることが好ましい。このように、前記レンズセットの同軸度を確保することができ、前記レンズセットが前記レンズチューブ１、スペーサ３に正確に押し込むことができ、且つ一定の固定作用を発揮する。ストッパー６を提供し、第６レンズ４１の像側面に設けられ、接着剤塗布プロセスを採用して固定し、最後に、レンズチューブ１とスペーサ３とを係止部７により係止して固定される。これまで、前記レンズモジュール１全体の組立てが完了する。
【００５８】
関連技術のレンズモジュールに比べて、第４の実施例に係るレンズモジュールは、以下のメリットを有する。
【００５９】
第４の実施例は、段階分けに組み立てることができ、前記レンズチューブと前記スペーサとは、係合構造により固定され、組み立てやすく、自由であり、レンズを組立て間違っても直すこともでき、構造が簡単であり、モジュール構成全体をより安定にする。
【００６０】
以上の実施例が本出願の好ましい実施形態のみであり、当業者にとっては、本発明の精神及び範囲を脱離しない前提で、改良することもでき、これらが本発明の保護範囲に含まれる。
【図１】
2018097344.tif 000003
【図２】
2018097344.tif 000004
【図３】
2018097344.tif 000005
【図４】
2018097344.tif 000006
【図５】
2018097344.tif 000007
【図６】
2018097344.tif 000008
【図７】
2018097344.tif 000009
【図８】
2018097344.tif 000010
【図９】
2018097344.tif 000011
【図１０】
2018097344.tif 000012
【図１１】
2018097344.tif 000013
【図１２】
2018097344.tif 000014
【図１３】
2018097344.tif 000015
【図１４】
2018097344.tif 000016
【図１５】
2018097344.tif 000017
【図１６】
2018097344.tif 000018